(57)【要約】      （修正有）【課題】妄りに外れず、着脱が簡単で材質や形状に左右されないワンプッシュオープンキャップ付容器を提供する。【解決手段】容器本体１の口部２の側壁３に係合部５、５ａを形成し、キャップ６側にこの係合部５、５ａに係脱自在の突起部９、９ａを形成する。キャップ６を開放するときには、キャップ６の押し部１１、１１ａを指先で押さえ、内側に変形させる。このようにすると、キャップ６の側壁７の下縁７ａが傾斜面４に沿って摺り上がり、係合部５、５ａと突起部９、９ａの係合が外れる。この結果、ワンタッチで簡単にキャップ６をとり外すことができる。【選択図】図１
0003102110.tif 000002
【実用新案登録請求の範囲】
【請求項１】
容器本体の肩口には昇り傾斜面を形成し、キャップを閉じた時のキャップ側壁の下縁は前記昇り傾斜面に近接又は当接して位置すること、前記容器本体に形成した口部の側壁の外周面とキャップの側壁の内周面間には間隔が形成されるようにキャップの内周面の一部には当接板が取り付けられていて、容器本体の口部の外周面はこの当接板に接していること、前記当接板の内面には突起部が形成されていると共に口部の外周面には、前記突起部が係脱自在に係合する係合部が形成されていること、前記キャップの側壁において、中心を挟んで１８０°方向には夫々押え部が形成されていること、前記キャップの押え部を指先で押圧するとキャップの側壁が内側に変形し、この変形にともなってキャップの側壁の下端が容器本体側の傾斜面に沿って摺り上り、この作用により前記係合部から突起部が外れてキャップが開放すること、を特徴とするプッシュオープンキャップ付容器。
【請求項２】
キャップの押し部には、スベリ止め、又は「ＰＵＳＨ」の文字が表記されていること、を特徴とする請求項１に記載のプッシュオープンキャップ付容器。
【考案の詳細な説明】
【技術分野】
【０００１】
本考案は、キャップの両サイドを指先で押えることによりロックが外れ、そのまま開放できるワンタッチ式のプッシュオープンキャップ付容器に関する。
【背景技術】
【０００２】
従来のプッシュオープンキャップとしては、図８に示す構造のものが公知である。この図８において、１００は容器本体、１０１は容器本体１００の口部、１０２はキャップ、１０３は前記口部１０１が嵌合する密封口、１０４はキャップ１０２の下縁であって、キャップ１０２を閉じた状態においては、キャップ１０２の下縁１０４が容器本体１００の傾斜面１０５に当接していて、指１０６でキャップ１０２を挟むと下縁１０４が傾斜面１０５に沿って摺り上がり、密封口１０３から口部１０１が外れると云う構造である。
【考案の開示】
【考案が解決しようとする課題】
【０００３】
しかし、上記従来のプッシュオープンキャップの場合、指で押える力が大きくないと、キャップ１０２の側壁の変形量が小さく、このために開けにくいと云う欠点がある。また、指の不自由な人にあっては、強く指に力が入らないため、キャップ１０２を簡単には開けることができないと云う欠点がある。
また、初めての人にとっては、キャップ１０２のプッシュ開放方式が良く解らないために、開放に手間がかかると云う欠点がある。
本考案の目的は、プッシュオープンキャップ付容器において、開放が簡単で一旦閉じた場合にはしっかりと閉じていて、妄りに開放したりしないプッシュオープンキャップ付容器を提案することである。
【課題を解決するための手段】
【０００４】
上記目的を達成するため、請求項１に記載の考案においては、プッシュオープンキャップ付容器において、容器本体の肩口には昇り傾斜面を形成し、キャップを閉じた時のキャップ側壁の下縁は前記昇り傾斜面に近接又は当接して位置すること、前記容器本体に形成した口部の側壁の外周面とキャップの側壁の内周面間には間隔が形成されるようにキャップの内周面の一部には当接板が取り付けられていて、容器本体の口部の外周面はこの当接板に接していること、前記当接板の内面には突起部が形成されていると共に口部の外周面には、前記突起部が係脱自在に係合する係合部が形成されていること、前記キャップの側壁において、中心を挟んで１８０°方向には夫々押え部が形成されていること、前記キャップの押え部を指先で押圧するとキャップの側壁が内側に変形し、この変形にともなってキャップの側壁の下端が容器本体側の傾斜面に沿って摺り上り、この作用により前記係合部からと突起部が外れてキャップが開放すること、を特徴とするものである。
【０００５】
更に、請求項２に記載の考案においては、請求項１に記載の発明において、キャップの押し部には、スベリ止め、又は「ＰＵＳＨ」の文字が表記されていること、を特徴とするものである。
【考案の効果】
【０００６】
本考案の効果は次のとおりである。
１．キャップは、当接板の作用により一定の間隔が保たれているため、キャップの側壁を
押し込むだけで、簡単に外すことができるので、指先に力のない人でもキャップの開放
が簡単である。
２．キャップは、当接板の作用で妄りに変形しない。この結果、予定外に外れたりする心
配がない。
３．当接板の作用でキャップは安定するため、材質や形状に関係なく、良好な係合関係を
保持できる。
４．押し部に「ＰＵＳＨ」の文字があり、然も外側に膨出しているため、指先で押し易い
ばかりでなく、初めての人でも開放操作が解り易い。
【０００７】
〔作用〕
キャップの両サイドのＰＵＳＨの文字部分を指先で挟むようにして押えると、キャップの側壁が内側に変形し、この変形時に側壁の下縁が容器本体の傾斜面に沿って摺り上がる。この結果、キャップの突起部が容器本体側の係合部から外れる。
【実施例】
【０００８】
図１〜図７に基づいて、請求項１及び２に記載した本考案の実施例を詳細に説明する。図１に本考案を実施したキャップと容器本体を示し、図２にキャップの内側を示し、図３にキャップを開放する状況を示し、図４にはＡ−Ａ´線断面を示し、図５には上方から見たキャップと容器本体を示し、図６（Ａ）（Ｂ）にはＢ−Ｂ´断面における開放時のキャップの側壁の変形例を示し、図７（Ａ）（Ｂ）にはＣ−Ｃ´断面における係合部と突起部の係脱関係を示す。
【０００９】
上記各図において、１は容器本体、２は口部、３は口部２の側壁であって、この側壁３は容器本体１の肩部に形成した昇り傾斜面４に続いて垂直に立ち上がっており、この側壁３の前後の中間には、横筋状に係合部５、５ａが形成されている。
６は前記口部２全体を覆うキャップであって、このキャップ６の側壁７の内側には、前記係合部５、５ａに対向する当接板８、８ａが形成されていて、容器本体１側の口部２の側壁の外周面とキャップ６の側壁７の内周面との間には、この当接板８、８ａで間隔が形成されている。
【００１０】
９、９ａは前記当接板８、８ａの内面に形成された突起部であって、前記口部２側の係合部５、５ａにこの突起部９、９ａは係脱自在である。
１０、１０ａは前記当接板８、８ａが前後とすると、この左右方向のキャップ６の側壁７の内側に形成された当接部であって、口部２の側壁３は、前記当接板８、８ａの場合と同じように、この当接部１０、１０ａに当って間隔が保たれている。
１１、１１ａはキャップ６の側壁７において、前記突起部９、９ａ側に形成された押し部であって、この押し部１１、１１ａは僅かに外側に膨出している。
１２、１２ａは、前記押し部１１、１１ａの表面に記された「ＰＵＳＨ」の文字である。なお、この押し部１１、１１ａの表面には、すべり止めのために、凹凸を形成してもよい。
【００１１】
上記構成の本考案に係るキャップ付容器は、キャップ６を容器本体１の口部２に対して上方から被せると、図７（Ａ）に示すように、係合部５、５ａに突起部９、９ａが係合し、またキャップ６の側壁７の下縁７ａが容器本体１の傾斜面４に近接又は当接している。この状態において、キャップ６を開放する場合には、図３に示すように、キャップ６の押し部１１、１１ａを指先１３、１３ａで挟むようにして押えると、図６（Ｂ）に示すように、キャップ６の側壁７が内側に変形し、その下縁７ａが傾斜面４に沿って摺り上がり、キャップ６全体が浮上する。この結果、図７（Ｂ）に示すように、係合部５、５ａから突起部９、９ａが外れ、キャップ６は開放される。
【図面の簡単な説明】
【００１２】
【図１】容器本体とキャップの説明図。
【図２】キャップの内面の説明図。
【図３】キャップを閉じた容器本体の説明図。
【図４】Ａ−Ａ´線断面図。
【図５】キャップの上方から見た容器本体の説明図。
【図６】（Ａ）（Ｂ）  Ｂ−Ｂ´線断面図。
【図７】（Ａ）（Ｂ）  Ｃ−Ｃ´線断面図。
【図８】従来のプッシュオープンキャップと容器本体の説明図。
【符号の説明】
【００１３】
１  容器本体
２  口部
３  側壁
４  傾斜面
５、５ａ  係合部
６  キャップ
７  側壁
７ａ  下縁
８、８ａ  当接板
９、９ａ  突起部
１０、１０ａ  当接部
１１、１１ａ  押し部
１２、１２ａ  文字
１３、１３ａ  指先
【図１】
0003102110.tif 000003
【図２】
0003102110.tif 000004
【図３】
0003102110.tif 000005
【図４】
0003102110.tif 000006
【図５】
0003102110.tif 000007
【図６】
0003102110.tif 000008
【図７】
0003102110.tif 000009
【図８】
0003102110.tif 000010